(57)【特許請求の範囲】
【請求項１】
遊技が可能な遊技機であって、
回路基板と、
前記回路基板と電子部品とを接続する配線と、
前記回路基板に設けられ前記配線が接続される基板側コネクタと、
前記回路基板を被覆するための被覆体と、
前記回路基板と前記被覆体とのうち少なくとも一方は、前記回路基板を被覆した状態において前記基板側コネクタと前記配線との接続状態の解除を弾性力によって阻止する、弾性変形可能な接続解除阻止手段と、を備え、
前記電子部品は、前記回路基板に対し動作可能に設けられた可動体に設けられ、
前記可動体の移動に伴い前記配線が撓むことによって該配線の一部が前記遊技機の所定箇所に接触するのを回避するために、該遊技機の所定箇所から離れる特定方向に前記配線を案内する案内部材を備え、
前記案内部材は、
ベース部と該ベース部から延設され該ベース部に対し前記特定方向側に屈曲する屈曲部とからなる平板状の板材からなり、
前記ベース部と前記回路基板との間から該回路基板外に引き回された前記配線を前記屈曲部により前記特定方向側に撓むように案内する
ことを特徴とする遊技機。
【発明の詳細な説明】
【技術分野】
【０００１】
本発明は、遊技が可能な遊技機に関する。
【背景技術】
【０００２】
パチンコ遊技機やスロットマシン等の遊技機において、遊技機に設けられる電子部品と回路基板とを接続する配線が、これら電子部品や回路基板に対しコネクタを介して着脱可能に接続されているものがある。
【０００３】
この種の遊技機では、電子部品が動作可能に設けられていたり、遊技機に設けられている他の部材が配線に接触することによって、配線が引っ張り力や押し付け力を受けることによって変形または移動することがあると、基板側コネクタから配線側コネクタが抜けたり無理な負荷がかかって断線したりすることがあるため、回路基板上の基板側コネクタに対して外部から延びる配線先端の配線側コネクタを接続する際の配線経路をジグザグ状に形成し、該ジグザグ状配線経路によりコネクタの接続部に引っ張り力や押し付け力等の負荷がかからないようにしたもの等があった（例えば、特許文献１参照）。
【先行技術文献】
【特許文献】
【０００４】
【特許文献１】特開２０１２−１４８６９号公報
【発明の概要】
【発明が解決しようとする課題】
【０００５】
上記特許文献１に記載の遊技機では、配線経路の一部をジグザグ状に形成する必要があるのでコストが嵩むとともに、該ジグザグ状配線経路に配線を通す手間がかかるという問題を有していた。
【０００６】
本発明は、このような問題点に着目してなされたもので、製造コストや手間をかけることなく配線の接続状態が解除されることを抑制することができる遊技機を提供することを目的とする。
【課題を解決するための手段】
【０００７】
前記課題を解決するために、本発明の請求項１に記載の遊技機は、
遊技が可能な遊技機であって、
回路基板と、
前記回路基板と電子部品とを接続する配線と、
前記回路基板に設けられ前記配線が接続される基板側コネクタと、
前記回路基板を被覆するための被覆体と、
前記回路基板と前記被覆体とのうち少なくとも一方は、前記回路基板を被覆した状態において前記基板側コネクタと前記配線との接続状態の解除を弾性力によって阻止する、弾性変形可能な接続解除阻止手段と、を備え、
前記電子部品は、前記回路基板に対し動作可能に設けられた可動体に設けられ、
前記可動体の移動に伴い前記配線が撓むことによって該配線の一部が前記遊技機の所定箇所に接触するのを回避するために、該遊技機の所定箇所から離れる特定方向に前記配線を案内する案内部材を備え、
前記案内部材は、
ベース部と該ベース部から延設され該ベース部に対し前記特定方向側に屈曲する屈曲部とからなる平板状の板材からなり、
前記ベース部と前記回路基板との間から該回路基板外に引き回された前記配線を前記屈曲部により前記特定方向側に撓むように案内する
ことを特徴としている。
手段１に記載の遊技機は、
遊技が可能な遊技機（例えば、パチンコ遊技機１）であって、
回路基板（例えば、演出基板４０、演出基板３１５）と、
前記回路基板と電子部品（例えば、発光ダイオードやモータ、ソレノイド、液晶表示器など）とを接続する配線（例えば、ケーブルＣ１／ケーブルＣ１０，Ｃ１１／ケーブルＣ２）と、
前記回路基板に設けられ前記配線が接続される基板側コネクタ（例えば、基板側コネクタＫＣＮ１／基板側コネクタＫＣＮ１０，Ｃ１１／基板側コネクタＫＣＮ２）と、
前記回路基板を被覆するための被覆体（例えば、カバー部材４０２／カバー部材３１３）と、
を備え、
前記回路基板と前記被覆体とのうち少なくとも一方は、前記回路基板を被覆した状態において前記基板側コネクタと前記配線との接続状態の解除を阻止する接続解除阻止手段（例えば、図２に示すカバー部材４０２の規制部４１１ａ，４１１ｂ／図３〜図５に示すカバー部材３１３の配線押え部３３１と演出基板３１５、演出基板３１５に設けられた基板側コネクタＫＣＮ１０とケーブルＣ１１／図６に示すカバー部材４０２の配線押え部４２０と演出基板４０／図７に示すカバー部材４０２のベース板４０２ａと演出基板４０に設けられた規制部である基板側コネクタＫＣＮ１／図８に示すカバー部材４０２のベース板４０２ａと演出基板４０に設けられた規制部であるネジＮ３）を備える
ことを特徴としている。
この特徴によれば、回路基板や被覆体とは別個の部材に接続解除阻止手段を設けたり、被覆とは別に接続状態の解除を阻止するための処理を行ったりすることなく、回路基板を被覆体により被覆するだけで接続解除阻止手段により配線と基板側コネクタとの接続状態の解除が阻止されるため、製造コストや手間をかけることなく配線の接続状態が解除されることを抑制することができる。
【０００８】
本発明の手段２の遊技機は、手段１に記載の遊技機であって、
前記電子部品（例えば、第２演出用モータ５１１）は、前記回路基板（例えば、演出制御基板）に対し動作可能に設けられた可動体（例えば、可動体５０１Ａ，５０１Ｂ）に設けられ、
前記可動体の移動に伴い前記配線（例えば、ケーブル７０１）が撓むことによって該配線の一部が前記遊技機の所定箇所（例えば、演出部材の部分，演出部材以外の部分）に接触するのを回避する方向に前記配線を案内する案内部材（例えば、屈曲したプラスチック板７１０）を備える
ことを特徴としている。
この特徴によれば、可動体の電子部品に接続される配線が、案内部材によって、可動体の移動に伴い配線が撓むことによって配線の一部が遊技機の所定箇所に接触するのを回避する方向に案内される。このため、配線が所定箇所に接触しないようにすることができる。その結果、可動体に接続される配線が意図しない方向に撓むことによる不具合を抑制することが可能な遊技機を提供することができる。
【０００９】
本発明の手段３の遊技機は、手段１または２に記載の遊技機であって、
前記接続解除阻止手段は、前記基板側コネクタ（例えば、基板側コネクタＫＣＮ１）に接続された前記配線（例えば、ケーブルＣ１）の配線側コネクタ（例えば、配線側コネクタＨＣＮ１）に当接して、該配線側コネクタが前記基板側コネクタとの接続状態が解除される方向へ移動することを規制する規制部（例えば、カバー部材４０２の前面に突設された規制部４１１ａ，４１１ｂ）である
ことを特徴としている。
この特徴によれば、接続状態が解除される方向へ何らかの外力が作用しても配線に無理な負荷がかかることがないため、断線等を抑制できる。
【００１０】
本発明の手段４の遊技機は、手段１〜３のいずれかに記載の遊技機であって、
前記接続解除阻止手段は、前記被覆体と前記回路基板とのうち一方（例えば、カバー部材４０２／カバー部材３１３）に設けられ、前記配線（例えば、ケーブルＣ１／ケーブルＣ１０，Ｃ１１）が他方（例えば、演出基板４０／演出基板３１５）に近接または当接するように押える押え部（例えば、配線押え部４２０／配線押え部３３１）である
ことを特徴としている。
この特徴によれば、接続状態が解除される方向へ配線が移動することを好適に抑制できる。
【００１１】
本発明の手段５の遊技機は、手段１〜４のいずれかに記載の遊技機であって、
前記被覆体は、第１部材（例えば、ベース部材４０１）と第２部材（例えば、カバー部材４０２）とを有し、前記第１部材と前記第２部材とを組付けることにより前記回路基板（例えば、演出基板４０）を収納可能な基板ケース（例えば、基板ケース４００／基板ケース４００Ａ／基板ケース４００Ｂ／基板ケース４００Ｃ）である
ことを特徴としている。
この特徴によれば、回路基板を好適に保護することができる。
【００１２】
本発明の手段６の遊技機は、手段１〜５のいずれかに記載の遊技機であって、
前記被覆体（例えば、カバー部材４０２／カバー部材３１３）は、前記配線（例えば、ケーブルＣ１／ケーブルＣ１０，Ｃ１１）に外部から触れることができないように前記回路基板（例えば、演出基板４０／演出基板３１５）を被覆する
ことを特徴としている。
この特徴によれば、被覆体の外部の何らかの部材が配線に接触して接続状態が解除されてしまうことを抑制できる。
【００１３】
本発明の手段７の遊技機は、手段１〜６のいずれかに記載の遊技機であって、
前記電子部品（例えば、第２演出用モータ５１１）は、前記回路基板（例えば、演出制御基板）に対し動作可能に設けられた可動体（例えば、可動体５０１Ａ，５０１Ｂ）に設けられ、
前記配線（例えば、ケーブル７０１）は、当該配線の一部が動かないように他の配線（例えば、被覆線を複数本並べて融着したフラットケーブル７０３）で押えられている
ことを特徴としている。
この特徴によれば、配線に不具合が発生し難くするために、コストを抑えて配線を動かないようにすることができる。その結果、配線の不具合の発生を抑制するためのコストを抑えることが可能な遊技機を提供することができる。
【００１４】
尚、本発明は、本発明の請求項に記載された発明特定事項のみを有するものであって良いし、本発明の請求項に記載された発明特定事項とともに該発明特定事項以外の構成を有するものであっても良い。
【図面の簡単な説明】
【００１５】
【図１】パチンコ遊技機を正面から見た正面図である。
【図２】（Ａ）は基板ケースに演出基板が収納された状態を示す断面図、（Ｂ）は（Ａ）のＡ−Ａ断面図、（Ｃ）は（Ａ）のＢ−Ｂ断面図、（Ｄ）は（Ａ）のＣ−Ｃ断面である。
【図３】（Ａ）は演出ユニットにおける可動体が退避位置に位置している状態、（Ｂ）は演出ユニットにおける可動体が演出位置に位置している状態を示す概略縦断面図である。
【図４】（Ａ）は支持体を示す背面図、（Ｂ）は（Ａ）の要部拡大図である。
【図５】（Ａ）は図４（Ａ）のＧ−Ｇ断面図、（Ｂ）は（Ａ）の要部拡大図である。
【図６】（Ａ）は変形例１としての基板ケースに演出基板が収納された状態を示す断面図、（Ｂ）は（Ａ）のＤ−Ｄ断面図、（Ｃ）は（Ａ）のＥ−Ｅ断面図、（Ｄ）は（Ａ）のＦ−Ｆ断面である。
【図７】本発明の変形例２としての基板ケースに演出基板が収納された状態を示す要部断面図である。
【図８】本発明の変形例３としての基板ケースに演出基板が収納された状態を示す要部断面図である。
【図９】（Ａ）は演出ユニットの概略を示す正面図、（Ｂ）は演出ユニットの概略を示す側面図である。
【図１０】可動体が上下動する際のフレキシブルフラットケーブルの状態を示す図である。
【図１１】フレキシブルフラットケーブルを案内するプラスチック板の外観および取付け状態を示す図である。
【図１２】フレキシブルフラットケーブルの余り部分の処理方法を示す図である。
【発明を実施するための形態】
【００１６】
本発明に係る遊技機を実施するための形態を実施例に基づいて以下に説明する。
【実施例】
【００１７】
まず、遊技機の一例であるパチンコ遊技機１の全体の構成について説明する。図１は、パチンコ遊技機を正面から見た正面図である。尚、以下において、図１の手前側をパチンコ遊技機１の前方（前面、正面）側、奥側を背面（後方）側とし、パチンコ遊技機１を前面側から見たときの上下左右方向を基準として説明する。尚、本実施例におけるパチンコ遊技機１の前面とは、該パチンコ遊技機１にて遊技を行う遊技者と対向する対向面である。
【００１８】
図１は、本実施例におけるパチンコ遊技機の正面図であり、主要部材の配置レイアウトを示す。パチンコ遊技機（以下、遊技機と略記する場合がある）１は、大別して、遊技盤面を構成する遊技盤２（ゲージ盤ともいう）と、遊技盤２を支持固定する遊技機用枠（台枠）３とから構成されている。遊技盤２には、ガイドレール２ｂによって囲まれた正面視略円形状の遊技領域１０が形成されている。この遊技領域１０には、遊技媒体としての遊技球が打球発射装置（図示略）から発射されて打ち込まれる。また、遊技機用枠３には、ガラス窓５０ａを有するガラス扉枠５０が左側辺を中心として回動可能に設けられ、該ガラス扉枠５０により遊技領域１０を開閉できるようになっており、ガラス扉枠５０を閉鎖したときにガラス窓５０ａを通して遊技領域１０を透視できるようになっている。
【００１９】
図１に示すように、遊技盤２は、ベニヤ板等の非透光性部材にて正面見略四角形状に構成され、前面である遊技盤面に障害釘（図示略）やガイドレール２ｂ等が設けられた盤面板にて構成されている。
【００２０】
遊技盤２の所定位置（図１に示す例では、遊技領域１０の右側下部位置）には、第１特別図柄表示器４Ａと、第２特別図柄表示器４Ｂとが設けられている。第１特別図柄表示器４Ａと第２特別図柄表示器４Ｂはそれぞれ、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。以下では、第１特別図柄表示器４Ａにおいて変動表示される特別図柄を「第１特図」ともいい、第２特別図柄表示器４Ｂにおいて変動表示される特別図柄を「第２特図」ともいう。
【００２１】
遊技盤２における遊技領域１０の中央付近には、演出表示装置５が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリア５Ｌ，５Ｃ，５Ｒにて、各々を識別可能な複数種類の識別情報（装飾識別情報）である演出図柄が変動表示される。この演出図柄の変動表示も、変動表示ゲームに含まれる。
【００２２】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄（最終停止図柄）を導出表示する。
【００２３】
演出表示装置５は、遊技盤２よりも背面側に配設され、該遊技盤２に形成された開口２ｃを通して視認できるようになっている。尚、遊技盤２における開口２ｃには枠状のセンター飾り枠５１が設けられている。また、遊技盤２の背面と演出表示装置５との間には、動作可能に設けられた後述する可動体３０２を有する演出ユニット３００や可動体５０１Ａ，５０１Ｂを有する演出ユニット５００等が設けられている。
【００２４】
演出表示装置５の表示領域の下部の左右２箇所には、第１保留記憶表示エリア５Ｄ、第２保留記憶表示エリア５Ｕが設定されている。第１保留記憶表示エリア５Ｄ、第２保留記憶表示エリア５Ｕでは、特図ゲームに対応した変動表示の保留記憶数（特図保留記憶数）を特定可能に表示する保留記憶表示が行われる。
【００２５】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。
【００２６】
第１特別図柄表示器４Ａ及び第２特別図柄表示器４Ｂの上方位置には、特図保留記憶数を特定可能に表示するための第１保留表示器２５Ａと第２保留表示器２５Ｂとが設けられている。第１保留表示器２５Ａは、第１特図保留記憶数を特定可能に表示し、第２保留表示器２５Ｂは、第２特図保留記憶数を特定可能に表示する。
【００２７】
演出表示装置５の下方には、普通入賞球装置６Ａと、普通可変入賞球装置６Ｂとが設けられている。普通入賞球装置６Ａは、例えば所定の球受部材によって常に一定の開放状態に保たれる始動領域（第１始動領域）としての第１始動入賞口を形成する。普通可変入賞球装置６Ｂは、ソレノイド（図示略）によって、垂直位置となる通常開放状態と傾動位置となる拡大開放状態とに変化する一対の可動翼片を有する電動チューリップ型可動体（普通電動可動体）を備え、始動領域（第２始動領域）としての第２始動入賞口を形成する。
【００２８】
第１始動入賞口を通過（進入）した遊技球が第１始動口スイッチ（図示略）によって遊技球が検出されたことに基づき、所定個数（例えば３個）の遊技球が賞球として払い出され、第１特図保留記憶数が所定の上限値（例えば「４」）以下であれば、第１始動条件が成立する。また、第２始動入賞口を通過（進入）した遊技球が第２始動口スイッチ（図示略）によって遊技球が検出されたことに基づき、所定個数（例えば３個）の遊技球が賞球として払い出され、第２特図保留記憶数が所定の上限値（例えば「４」）以下であれば、第２始動条件が成立する。
【００２９】
普通入賞球装置６Ａと普通可変入賞球装置６Ｂの下方位置には、特別可変入賞球装置７が設けられている。特別可変入賞球装置７は、ソレノイド（図示略）によって開閉駆動される大入賞口扉によって開放状態と閉鎖状態とに変化する特定領域としての大入賞口を形成する。このように、特定領域としての大入賞口は、遊技球が通過（進入）しやすく遊技者にとって有利な開放状態と、遊技球が通過（進入）できない（または通過（進入）しにくい）遊技者にとって不利な閉鎖状態とに変化する。
【００３０】
大入賞口を通過（進入）した遊技球がカウントスイッチ（図示略）によって検出されたことに基づき、所定個数（例えば１５個）の遊技球が賞球として払い出される。従って、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３１】
第２保留表示器２５Ｂの上方位置には、普通図柄表示器２０が設けられている。普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３２】
遊技盤２の表面には、上記の構成以外にも、遊技球の流下方向や速度を変化させる風車及び多数の障害釘が設けられている。また、遊技領域１０の最下方には、いずれの入賞口にも進入しなかった遊技球が取り込まれるアウト口が設けられている。遊技機用枠３の左右上部位置には、効果音等を再生出力するためのスピーカ８Ｌ，８Ｒが設けられており、さらに遊技領域１０の周辺部には、演出用ＬＥＤ９が設けられている。遊技機用枠３の右下部位置には、遊技媒体としての遊技球を遊技領域１０に向けて発射するために遊技者等によって操作される打球操作ハンドル（操作ノブ）が設けられている。
【００３３】
遊技領域１０の下方における遊技機用枠３の所定位置には、賞球として払い出された遊技球や所定の球貸機により貸し出された遊技球を、発射装置（図示略）へと供給可能に保持（貯留）する上皿９０（打球供給皿）が設けられている。遊技機用枠３の下部には、上皿９０から溢れた余剰球などを、パチンコ遊技機１の外部へと排出可能に保持（貯留）する下皿９１が設けられている。下皿９１を形成する部材に取付けられたスティックコントローラ３１Ａの傾倒操作はコントローラセンサユニット（図示略）にて検出され、上皿９０を形成する部材に設けられたプッシュボタン３１Ｂに対してなされた押下動作はプッシュセンサ（図示略）にて検出される。
【００３４】
次に、パチンコ遊技機１の回路構成について説明する。パチンコ遊技機１の背面には、例えば図示しない主基板、演出制御基板、音声制御基板、ＬＥＤ制御基板、主基板と演出制御基板との間で伝送される各種の制御信号を中継するための中継基板、払出制御基板、情報端子基板、発射制御基板、インタフェース基板や後述する演出基板４０などといった、各種の基板が配置されている。
【００３５】
主基板（図示略）は、メイン側の制御基板であり、パチンコ遊技機１における遊技の進行を制御するための各種回路が搭載されている。主基板は、主として、特図ゲームにおいて用いる乱数の設定機能、所定位置に配設されたスイッチ等からの信号の入力を行う機能、演出制御基板（図示略）などからなるサブ側の制御基板に宛てて、指令情報の一例となる制御コマンドを制御信号として出力して送信する機能、ホールの管理コンピュータに対して各種情報を出力する機能などを備えている。また、主基板は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。また、主基板には、例えば遊技制御用マイクロコンピュータ（図示略）や、スイッチ回路（図示略）、ソレノイド回路などの各種回路が搭載されている。
【００３６】
主基板には、通過ゲート４１を通過した遊技球を検出するゲートスイッチ、第１始動口スイッチ、第２始動口スイッチ、カウントスイッチからの検出信号を伝送する配線が接続されている。また、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００３７】
主基板から中継基板を介して演出制御基板に対して伝送される制御コマンドは、例えば電気信号として送受信される演出制御コマンドである。演出制御コマンドには、例えば、演出図柄の変動時間及びリーチ演出の種類や擬似連の有無等の変動態様を示す変動パターンを示す変動パターン指定コマンド等が含まれている。
【００３８】
主基板に搭載された遊技制御用マイクロコンピュータは、例えば１チップのマイクロコンピュータであり、遊技制御用のプログラムや固定データ等を記憶するＲＯＭ（ReadOnlyMemory）と、遊技制御用のワークエリアを提供するＲＡＭ（RandomAccessMemory１０２）と、遊技制御用のプログラムを実行して制御動作を行うＣＰＵ（CentralProcessingUnit）と、ＣＰＵとは独立して乱数値を示す数値データの更新を行う乱数回路と、Ｉ／Ｏ（Input/Outputport）と、を備えて構成される。一例として、遊技制御用マイクロコンピュータでは、ＣＰＵがＲＯＭから読み出したプログラムを実行することにより、パチンコ遊技機１における遊技の進行を制御するための処理が実行される。
【００３９】
演出制御基板（図示略）は、主基板とは独立したサブ側の制御基板であり、中継基板を介して主基板から伝送された制御信号を受信して、演出表示装置５、スピーカ８Ｌ，８Ｒ及び演出用ＬＥＤ９、演出ユニット３００，５００に設けられる各種モータ、ソレノイド、センサ、発光ダイオード（ＬＥＤ）といった演出用の電気部品による演出動作を制御するための各種回路が搭載されている。
【００４０】
演出制御基板（図示略）には、プログラムに従って制御動作を行う演出制御用ＣＰＵと、演出制御用のプログラムや固定データ等を記憶するＲＯＭと、演出制御用ＣＰＵのワークエリアを提供するＲＡＭと、演出表示装置５における表示動作の制御内容を決定するための処理などを実行する表示制御部と、演出制御用ＣＰＵとは独立して乱数値を示す数値データの更新を行う乱数回路と、Ｉ／Ｏとが搭載されている。一例として、演出制御基板では、演出制御用ＣＰＵがＲＯＭから読み出した演出制御用のプログラムを実行することにより、演出用の電気部品による演出動作を制御するための処理が実行される。また、ＲＯＭには、演出制御用のプログラムの他にも、演出動作を制御するために用いられる各種のデータテーブルなどが格納されている。
【００４１】
次に、パチンコ遊技機１における遊技の進行を概略的に説明する。パチンコ遊技機１では、遊技領域１０に設けられた通過ゲート４１を遊技球が通過したことに基づいて、普通図柄表示器２０による普図ゲームが開始される。普通図柄の変動を開始させた後、普図変動時間となる所定時間が経過し、普図当り図柄以外の普通図柄が停止表示されれば、普通図柄の変動表示結果が「普図はずれ」となる。特定の普通図柄（普図当り図柄）が停止表示されれば、普通図柄の変動表示結果が「普図当り」となり、普通可変入賞球装置６Ｂの拡大開放制御（傾動制御）が行われ、所定時間が経過すると垂直位置に戻る通常開放制御が行われる。
【００４２】
遊技球が第１始動入賞口に入賞したことなどにより第１始動条件が成立した後に、例えば前回の特図ゲームや大当り遊技状態が終了したことなどにより第１開始条件が成立したことに基づいて、第１特別図柄表示器４Ａによる特図ゲームが開始される。また、遊技球が第２始動入賞口に入賞したことなどにより第２始動条件が成立した後に、例えば前回の特図ゲームや大当り遊技状態が終了したことなどにより第２開始条件が成立したことに基づいて、第２特別図柄表示器４Ｂによる特図ゲームが開始される。
【００４３】
特図ゲームでは、特別図柄の変動表示を開始させた後、変動表示時間が経過すると確定特別図柄（特図表示結果）を導出表示する。このとき、特定の特別図柄（大当り図柄）が停止表示されれば、特定表示結果としての「大当り」となり、大当り図柄とは異なる特別図柄が停止表示されれば「はずれ」となる。特図ゲームでの変動表示結果が「大当り」になった後には、遊技者にとって有利なラウンド（「ラウンド遊技」ともいう）を所定回数実行する特定遊技状態としての大当り遊技状態に制御される。
【００４４】
大当り遊技状態においては、特別可変入賞球装置７の大入賞口扉が、所定の上限時間（例えば２９秒間や０．１秒間）が経過するまでの期間あるいは所定個数（例えば９個）の入賞球が発生するまでの期間にて、大入賞口を開放状態とする。これにより、特別可変入賞球装置７を遊技者にとって有利な第１状態（開放状態）とするラウンドが実行される。
【００４５】
ラウンドの実行中に大入賞口を開放状態とした大入賞口扉は、遊技盤２の表面を落下する遊技球を受け止め、その後に大入賞口を閉鎖状態とすることにより、特別可変入賞球装置７を遊技者にとって不利な第２状態（閉鎖状態）に変化させて、１回のラウンドを終了させる。大入賞口の開放サイクルであるラウンドは、その実行回数が所定の上限回数（例えば「１６」など）に達するまで、繰り返し実行可能となっている。
【００４６】
演出表示装置５の演出図柄表示エリア５Ｌ，５Ｃ，５Ｒでは、特図ゲームが開始されることに対応して、演出図柄の変動表示が開始される。そして、演出図柄の変動表示が開始されてから変動表示が終了するまでの期間では、演出図柄の変動表示状態が所定のリーチ状態となることがある。
【００４７】
特図ゲームにおける確定特別図柄として、複数種類の大当り組合せのうち、所定の通常大当り組合せ（「非確変大当り組合せ」ともいう）となる確定演出図柄が停止表示され、変動表示結果が「非確変大当り」となった場合は大当り状態に制御され、その終了後には、時間短縮制御（時短制御）が行われる。時短制御が行われることにより、特図ゲームにおける特別図柄の変動表示時間（特図変動時間）は、通常状態に比べて短縮される。尚、時短制御では、普通図柄の当選頻度が高められて、普通可変入賞球装置６Ｂへの入賞頻度が高められる、いわゆる電チューサポートが実施される。時短制御は、大当り遊技状態の終了後に所定回数（例えば１００回）の特図ゲームが実行されることと、変動表示結果が「大当り」となることのうち、いずれかの条件が先に成立したときに、終了すればよい。
【００４８】
特図ゲームにおける確定特別図柄として、複数種類の大当り組合せのうち、所定の確変大当り組合せ（「確変大当り組合せ」ともいう）となる確定演出図柄が停止表示され、変動表示結果が「確変大当り」となった場合は大当り状態に制御され、その終了後には、時短制御とともに確率変動制御（確変制御）が行われる。この確変制御が行われることにより、各回の特図ゲームにおいて変動表示結果が「大当り」となる確率は、通常状態に比べて高くなるように向上する。確変制御は、大当り遊技状態の終了後に変動表示結果が「大当り」となって再び大当り遊技状態に制御されるという条件が成立したとき、大当り遊技状態の終了後に所定回数（例えば時短回数と同じ１００回）の特図ゲームが実行されたとき、大当り遊技状態の終了後に特図ゲームが開始されるごとに実行される確変転落抽選にて確変制御を終了させる「確変転落あり」の決定がなされたとき、などに終了すればよい。
【００４９】
時短制御が行われるときには、普図ゲームにおける普通図柄の変動時間（普図変動時間）を通常状態のときよりも短くする制御や、各回の普図ゲームで普通図柄の変動表示結果が「普図当り」となる確率を通常状態のときよりも向上させる制御、変動表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御といった、遊技球が第２始動入賞口を通過（進入）しやすくして第２始動条件が成立する可能性を高めることで遊技者にとって有利となる制御（電チューサポート制御、高開放制御）が行われる。これにより、第２特図を用いた特図ゲームを実行するための第２始動条件が成立しやすくなり、特図ゲームが頻繁に実行可能となることで、次に変動表示結果が「大当り」となるまでの時間が短縮される。
【００５０】
次に、本実施例におけるパチンコ遊技機１の動作（作用）を説明する。主基板（図示略）では、所定の電源基板からの電力供給が開始されると、遊技制御用マイクロコンピュータ（図示略）が起動し、ＣＰＵ（図示略）によって遊技制御メイン処理となる所定の処理が実行される。遊技制御メイン処理において遊技制御用タイマ割込み処理を開始すると、スイッチ処理、メイン側エラー処理、情報出力処理、遊技用乱数更新処理、特別図柄プロセス処理、普通図柄プロセス処理、コマンド制御処理を実行する。
【００５１】
特別図柄プロセス処理では、遊技制御フラグ設定部（図示略）に設けられた特図プロセスフラグの値をパチンコ遊技機１における遊技の進行状況に応じて更新し、第１特別図柄表示器４Ａや第２特別図柄表示器４Ｂにおける表示動作の制御や、特別可変入賞球装置７における大入賞口の開閉動作設定などを、所定の手順で行うために各種の処理が選択されて実行される。
【００５２】
特別図柄プロセス処理において、ＣＰＵは、まず、第１始動入賞や第２始動入賞があったか否かを判定し、入賞があった場合には、特図表示結果判定用、大当り種別判定用、変動パターン判定用などの乱数値をそれぞれ抽出して、第１特図保留記憶部や第２特図保留記憶部における空きエントリの最上位に格納（記憶）する始動入賞処理を実行する。
【００５３】
また、ＣＰＵは、第１特図保留記憶部や第２特図保留記憶部に記憶されている保留データの有無などに基づいて特図ゲームを開始するか否かの判定や、特図表示結果判定用の乱数値を示す数値データに基づき、特別図柄や演出図柄の変動表示結果を「大当り」とするか否かを、その変動表示結果が導出表示される前に決定（事前決定）する特別図柄通常処理を実行する。つまり、ＣＰＵは、特図ゲームの変動表示を開始するときに、始動入賞が発生したときに記憶した乱数値に基づいて、当該変動表示の表示結果として大当り表示結果を導出表示するか否かを決定（抽選）する処理を実行する。
【００５４】
次いで、変動パターンを複数種類のいずれかに決定する変動パターン設定処理、特別図柄を変動させるための設定や特別図柄が変動を開始してからの経過時間を計測する処理を行う特別図柄変動処理、特別図柄の変動を停止させて確定特別図柄を停止表示（導出）させるための設定を行う特別図柄停止処理を行う。また、変動表示結果が「大当り」となった場合は、大当り遊技状態において大入賞口を開閉させる処理を行う大当り開放前処理、大当り開放中処理、大当り開放後処理、大当り終了処理を行う。
【００５５】
次に、演出制御基板（図示略）の動作を説明する。先ず、演出制御用ＣＰＵは、電源が投入されると、メイン処理の実行を開始する。メイン処理においてタイマ割込が発生すると、コマンド解析処理、演出制御プロセス処理、演出用乱数更新処理を実行する。
【００５６】
演出制御プロセス処理では、演出表示装置５の第１保留記憶表示エリア５Ｄ及び第２保留記憶表示エリア５Ｕでの保留記憶表示を、保留記憶バッファの記憶内容に応じた表示に更新する保留表示更新処理を実行する。次いで、演出制御プロセスフラグの値に応じて、遊技制御用マイクロコンピュータから変動パターン指定コマンドを受信しているか否か確認する変動パターン指定コマンド受信待ち処理、演出図柄の変動が開始されるように制御する演出図柄変動開始処理、演出図柄変動開始処理にてセットされたプロセスデータに応じて変動パターンを構成する各変動状態（変動速度）の切替タイミング等の制御や変動時間の終了を監視するとともに、演出表示装置５の表示制御、スピーカ８Ｌ，８Ｒからの音出力、演出用ＬＥＤ９の発光及び演出ユニット３００，５００の駆動制御等を行う演出図柄変動中処理、演出図柄の変動を停止し表示結果（停止図柄）を導出表示する制御を行う演出図柄変動停止処理を行う。
【００５７】
大当り表示処理においては、変動時間の終了後、演出表示装置５に大当りの発生を報知するための画面を表示する制御を行う。大当り遊技中処理においては、大当り遊技中の制御を行う。大当り終了演出処理においては、演出表示装置５において、大当り遊技状態が終了したことを遊技者に報知する表示制御を行う。
【００５８】
このように演出制御用ＣＰＵは、遊技制御用マイクロコンピュータから送信された演出制御コマンド（制御情報）に基づいて、演出図柄の変動表示制御や予告演出といった遊技に関連する各種演出を実行可能とされている。
【００５９】
次に、図２に基づいて、前述した演出制御基板に接続された演出基板４０及び該演出基板を収納する基板ケース４００について説明する。図２は、（Ａ）は基板ケースに演出基板が収納された状態を示す断面図、（Ｂ）は（Ａ）のＡ−Ａ断面図、（Ｃ）は（Ａ）のＢ−Ｂ断面図、（Ｄ）は（Ａ）のＣ−Ｃ断面である。尚、以下においては、図２（Ａ）における下側を前方、上側を後方、左側を左方、右側を右方として説明する。
【００６０】
図２に示す演出基板４０は、前述した演出制御基板に接続される回路基板の一例である。演出基板４０は、特に図示しないが種々の電子部品が搭載されており、背面所定箇所には基板側コネクタＫＣＮ１が取付けられている。この基板側コネクタＫＣＮ１には、図示しない電子部品（例えば、ＬＥＤ等の発光体やモータ、ソレノイドなどの駆動源など）に一端が接続されるケーブルＣ１の他端に設けられる配線側コネクタＨＣＮ１が着脱可能に接続されるようになっており、図示しない電子部品と演出基板４０とがケーブルＣ１により電気的に接続されるようになっている。基板側コネクタＫＣＮ１は、接続部を右側方に向けた状態で演出基板４０に設けられている。
【００６１】
尚、本実施例では、配線の一例として、電力や信号を供給するための電気ケーブルであって可撓可能なフレキシブルフラットケーブルからなるケーブルＣ１を例示しているが、本発明はこれに限定されるものではなく、被覆線を複数本並べて融着したフラットケーブルであってもよいし、１本の単線、撚線であってもよいし、撚対線であってもよい。
【００６２】
基板ケース４００は、透明な合成樹脂材からなるベース部材４０１と、同じく透明な合成樹脂材からなるカバー部材４０２と、からなる基板ケース４００に収納された状態で、パチンコ遊技機１の所定箇所（例えば、遊技盤２の背面など）に設けられる。
【００６３】
ベース部材４０１は、略四角形状のベース板４０１ａと該ベース板４０１ａの周縁から前方に立設される側壁４０１ｂとにより一面が開口する箱状に形成されている。カバー部材４０２は、略四角形状のベース板４０２ａと該ベース板４０２ａの周縁から前方に立設される側壁４０２ｂとにより一面が開口する箱状に形成されている。
【００６４】
このように基板ケース４００は、ベース部材４０１とカバー部材４０２との開口を互いに突き合せるように組付けた状態で、ベース部材４０１及びカバー部材４０２それぞれの取付部をネジＮ１等により締結することで、ベース部材４０１とカバー部材４０２とを閉鎖状態とすることができるようになっている。
【００６５】
尚、ネジＮ１に替えて、ドライバー等の工具により取付方向に回転させることはできるが、取外し方向へ回転させることができない従来公知のワンウェイネジ等を用いて締結したり、一度貼着すると剥離する際に破断する封印シールをベース部材４０１とカバー部材４０２とに跨るように貼着すること等により、痕跡を残さずに基板ケース４００を開封できないように封止するようにしてもよい。
【００６６】
カバー部材４０２のベース板４０２ａの前面（内面）には、円柱状のボス４１０が複数突設されており、演出基板４０に取付けたネジＮ２をボス４１０の先端に形成されたネジ孔に螺入することで、演出基板４０をカバー部材４０２に取付けることができるようになっている。
【００６７】
また、カバー部材４０２のベース板４０２ａの前面には、四角柱状の規制部４１１ａ，４１１ｂが前方に向けて突設されている。これら規制部４１１ａ，４１１ｂは、互いに前後に離間して並設されており、カバー部材４０２に演出基板４０を取付けた状態において、図２（Ｂ）（Ｃ）に示すように、基板側コネクタＫＣＮ１に接続されたケーブルＣ１を跨ぐように、かつ、基板側コネクタＫＣＮ１に接続された配線側コネクタＨＣＮ１の前後側の端部に当接（または近接）するように配置される。また、各規制部４１１ａ，４１１ｂの先端は演出基板４０に当接するため、演出基板４０の撓みを防止する基板押えを兼ねている。
【００６８】
カバー部材４０２の右側の側壁４０２ｂにおける基板側コネクタＫＣＮ１に対応する位置には、基板側コネクタＫＣＮ１に接続されたケーブルＣ１を挿通するための挿通部４１２が切欠形成されている。よって、基板側コネクタＫＣＮ１に接続した配線側コネクタＨＣＮ１から延出されるケーブルＣ１を、演出基板４０に沿って配線した後、挿通部４１２から基板ケース４００の外部へ延出することができるようになっている。
【００６９】
このように、演出基板４０と図示しない電子部品とを接続するケーブルＣ１と、演出基板４０に設けられケーブルＣ１が接続される基板側コネクタＫＣＮ１と、演出基板４０を被覆するための被覆体としてのカバー部材４０２と、を備え、カバー部材４０２に演出基板４０を取付けることにより、演出基板４０の背面、つまり、基板側コネクタＫＣＮ１の実装面をカバー部材４０２により被覆した状態において、規制部４１１ａ，４１１ｂが基板側コネクタＫＣＮ１に接続されたケーブルＣ１を跨ぐように、かつ、基板側コネクタＫＣＮ１に接続された配線側コネクタＨＣＮ１のケーブル側の端部に当接（または近接）するように配置される。
【００７０】
また、基板ケース４００は、パチンコ遊技機１の所定箇所に設けられ、この基板ケース４００に収納された演出基板４０は、ケーブルＣ１を介して同じくパチンコ遊技機１の所定箇所に設けられた電子部品（図示略）に接続される。このように演出基板４０と電子部品とを接続するケーブルＣ１は、配線のためにある程度の余裕を持った長さを有して設けられる。
【００７１】
よって、演出基板４０と電子部品とを接続した状態において、例えば、基板ケース４００から電子部品（図示略）まで延出されるケーブルＣ１が自重により垂れ下がったり、パチンコ遊技機１に生じる振動等により動いたり、あるいは、パチンコ遊技機１に動作可能に設けられた他の部品（例えば、後述する可動体３０２，５０１Ａ，５０１Ｂなど）などに接触すること等の要因により、ケーブルＣ１に対し、配線側コネクタＨＣＮ１が基板側コネクタＫＣＮ１から抜脱する方向へ外力が作用することがある。
【００７２】
しかし、本実施例では、配線側コネクタＨＣＮ１が規制部４１１ａ，４１１ｂに当接し、配線側コネクタＨＣＮ１の基板側コネクタＫＣＮ１から抜脱する方向（基板側コネクタＫＣＮ１と配線側コネクタＨＣＮ１との接続が解除される方向）への移動が規制されることで、配線側コネクタＨＣＮ１の基板側コネクタＫＣＮ１からの抜脱が規制されるため、電子部品と演出基板４０との接続状態が解除されることを抑制することができる。すなわち、カバー部材４０２の規制部４１１ａ，４１１ｂは、演出基板４０の背面を被覆した状態において基板側コネクタＫＣＮとケーブルＣ１との接続状態の解除を阻止する本発明の接続解除阻止手段を構成する。
【００７３】
尚、本実施例では、接続解除阻止手段として前後一対の規制部４１１ａ，４１１ｂを適用した形態を例示したが、本発明はこれに限定されるものではなく、規制部４１１ａ，４１１ｂのいずれか一方であってもよい。また、配線側コネクタＨＣＮ１のケーブル側の端部におけるケーブルＣ１の前後側でなく、配線側コネクタＨＣＮ１におけるケーブルＣ１の上方位置に当接するようにしてもよく、形状は種々に変形可能である。
【００７４】
次に、パチンコ遊技機１に設けられた演出ユニット３００について、図３〜図５に基づいて説明する。図３は、（Ａ）は演出ユニットにおける可動体が退避位置に位置している状態、（Ｂ）は演出ユニットにおける可動体が演出位置に位置している状態を示す概略縦断面図である。図４は、（Ａ）は支持体を示す背面図、（Ｂ）は（Ａ）の要部拡大図である。図５は、（Ａ）は図４（Ａ）のＧ−Ｇ断面図、（Ｂ）は（Ａ）の要部拡大図である。尚、以下においては、図３（Ａ）における右側を前方、左側を後方、上側を上方、下側を下方として説明する。
【００７５】
図３及び図４に示すように、演出ユニット３００は、パチンコ遊技機１における所定箇所（例えば、遊技盤２の背面における演出表示装置５の下方位置）に設けられたベース体３０１と、ベース体３０１に対し上下方向に移動可能に設けられた可動体３０２と、を主に有する。ベース体３０１は、合成樹脂材により立壁状に構成され、背面には、可動体３０２を上下方向に移動させるための昇降モータ３０３と、昇降モータ３０３の駆動制御を行う演出制御基板に接続される演出基板３０４と、が設けられている。演出基板３０４からは、ケーブルＣ１０（例えば、電力線）及びケーブルＣ１１（例えば、信号線）が延出され、これらケーブルＣ１０及びケーブルＣ１１は、ベース体３０１に形成された挿通孔３０５を挿通して前面側に挿通されている。尚、ケーブルＣ１０及びケーブルＣ１１のうち一方は、演出基板３０４以外の基板に接続されていてもよい。
【００７６】
可動体３０２は、例えば、回動体３１０と該回動体３１０を前後方向を向く回動軸を中心として回動可能に支持する支持体３１１と、から主に構成される。尚、回動体３１０は、表示装置であってもよいし、内部に搭載されたＬＥＤにより発光可能な発光表示装置等であってもよい。可動体３０２は、演出表示装置５の下方に配置される退避位置（図３（Ａ）参照）と、退避位置よりも上方に移動して演出表示装置５の前面側に重畳して配置される演出位置（図３（Ｂ）参照）と、の間で上下移動可能に設けられている。
【００７７】
支持体３１１は、ベース部材３１２と、透明な合成樹脂材等にて構成されベース部材３１２の背面を被覆するように取付けられるカバー部材３１３と、を有する。ベース部材３１２の背面には、回動体３１０を回動させるための回動モータ３１４と、該回動モータ３１４が接続される演出基板３１５と、を有し、演出基板３１５の背面はカバー部材３１３により被覆されている。
【００７８】
演出基板３１５の背面下部には、ケーブルＣ１０の一端が接続される基板側コネクタＫＣＮ１０が設けられ、該基板側コネクタＫＣＮ１０の上方には、ケーブルＣ１１の一端が接続される基板側コネクタＫＣＮ１１が、基板側コネクタＫＣＮ１０と離間して並設されている。基板側コネクタＫＣＮ１０，ＫＣＮ１１は、図５（Ｂ）に示すように、それぞれハウジング３２０と該ハウジング３２０に対し回動可能に設けられた押え部材３２１とを有し、ケーブルＣ１０，Ｃ１１の接続部を下方に向けた状態で上下に並設されており、図中１点鎖線で示すように、押え部材３２１を後方へ回転させた状態でケーブルＣ１０，Ｃ１１の一端を差し込んだ後、実線で示すようにハウジング３２０と平行をなすように回動させることで、ケーブルＣ１０，Ｃ１１を接続した状態で保持できるようになっている。
【００７９】
図４（Ｂ）及び図５（Ａ）に示すように、カバー部材３１３の下部には、上下方向を向く切込溝３３０ａ，３３０ｂが形成されており、これら切込溝３３０ａ，３３０ｂの間には、配線押え部３３１が形成されている。配線押え部３３１は、カバー部材３１３の背板部３３１ａと、背板部３３１ａから前方に延設される側板部３３１ｂと、側板部３３１ｂの前端から後斜め下方に向けて屈曲する側面視円弧状の湾曲部３３１ｃと、により弾性変形可能に形成され、カバー部材３１３をベース部材３１２の背面に取付けた状態において、側板部３３１ｂと湾曲部３３１ｃとの接合部３３１ｄが演出基板３１５の背面に近接するようになっている。
【００８０】
図５に示すように、ベース体３０１の挿通孔３０５から前面側に挿通されたケーブルＣ１０の一端は基板側コネクタＫＣＮ１０に接続され、ベース体３０１の挿通孔３０５から前面側に挿通されたケーブルＣ１１の一端は基板側コネクタＫＣＮ１１に接続される。この状態において、特に図５（Ｂ）に示すように、ケーブルＣ１１は、基板側コネクタＫＣＮ１０及びケーブルＣ１０の背面側に重畳するように近接して配線される。
【００８１】
このように、ケーブルＣ１０，Ｃ１１を基板側コネクタＫＣＮ１０，ＫＣＮ１１に接続した状態で、カバー部材３１３をベース部材３１２の背面に取付けると、図５（Ａ）に示すように、配線押え部３３１の接合部３３１ｄと演出基板３１５との間に２本のケーブルＣ１０，Ｃ１１が前後に重なった状態で挟持され、配線押え部３３１の弾性力によりケーブルＣ１０，Ｃ１１が演出基板３１５側に押えつけられる。
【００８２】
図３に示すように、ベース体３０１側の演出基板３０４と可動体３０２側の演出基板３１５とを接続するケーブルＣ１０，Ｃ１１は、可動体３０２が退避位置と演出位置との間で上下方向に移動できるように、ある程度の余裕を持った長さを有している。特に図３（Ａ）に示すように、可動体３０２が退避位置にある状態では、カバー部材３１３の下方に引き出されたケーブルＣ１０，Ｃ１１は、上方に折り返して挿通孔３０５に掛け渡されるため、湾曲部３３１ｃにより湾曲状に案内されることによりケーブルＣ１０，Ｃ１１が屈曲しないようにガイドされる。
【００８３】
このような演出ユニット３００にあっては、演出基板３０４と演出基板３１５とをケーブルＣ１０，Ｃ１１により接続した状態において、可動体３０２がベース体３０１に対し上下方向に移動することで、該移動に応じてケーブルＣ１０，Ｃ１１が動くため、ケーブルＣ１０，Ｃ１１に対し、ケーブルＣ１０，Ｃ１１が基板側コネクタＫＣＮ１０，ＫＣＮ１１から抜脱する方向へ外力が作用することがある。
【００８４】
しかし、本実施例では、ケーブルＣ１０，Ｃ１１が配線押え部３３１の弾性力により演出基板３１５側に押えつけられ、ケーブルＣ１０，Ｃ１１の基板側コネクタＫＣＮ１０，ＫＣＮ１１から抜脱する方向（ケーブルＣ１０，Ｃ１１と基板側コネクタＫＣＮ１０，ＫＣＮ１１との接続が解除される方向）への移動が規制されることで、ケーブルＣ１０，Ｃ１１の基板側コネクタＫＣＮ１から抜脱が規制されるため、電子部品と演出基板４０との接続状態が解除されることを抑制することができる。
【００８５】
また、ケーブルＣ１０，Ｃ１１が配線押え部３３１の弾性力により演出基板３１５側に押えつけられることで、可動体３０２の昇降動作に応じて、図５（Ａ）に示すようにケーブルＣ１０，Ｃ１１が矢印方向に屈曲するように動いても、ケーブルＣ１０，Ｃ１１において基板側コネクタＫＣＮ１０，ＫＣＮ１１から配線押え部３３１により演出基板３１５側に押えつけられている部分、つまり、カバー部材３１３により被覆されている部分へ動きが伝達されることが阻止されるため、基板側コネクタＫＣＮ１０，ＫＣＮ１１付近でケーブルＣ１０，Ｃ１１が前後に動いて抜脱されやすくなることが抑制される。すなわち、カバー部材３１３の配線押え部３３１と演出基板３１５とは、演出基板３１５の背面を被覆した状態において基板側コネクタＫＣＮ１０，Ｃ１１とケーブルＣ１０，Ｃ１１との接続状態の解除を阻止する本発明の接続解除阻止手段を構成する。
【００８６】
さらに、図５（Ｂ）に示すように、ケーブルＣ１１において、基板側コネクタＫＣＮ１１と配線押え部３３１との間に配線されたケーブルＣ１１は、基板側コネクタＫＣＮ１０の背面側に重畳するように近接して配線されることで、基板側コネクタＫＣＮ１０の押え部材３２１の接続解除方向への回動がケーブルＣ１１により阻止されるため、押え部材３２１が接続解除方向へ回動してケーブルＣ１０が基板側コネクタＫＣＮ１０から抜脱されることが抑制される。すなわち、演出基板３１５に設けられた基板側コネクタＫＣＮ１０とケーブルＣ１１とは、演出基板３１５の背面を被覆した状態において基板側コネクタＫＣＮ１０とケーブルＣ１０との接続状態の解除を阻止する接続解除阻止手段を構成する。
【００８７】
尚、本実施例では、接続解除阻止手段としての配線押え部３３１は、弾性変形可能に設けられていたが、弾性変形可能に設けられていなくてもよい。また、湾曲部３３１ｃを有していたが、湾曲部３３１ｃはなくてもよく、側板部３３１ｂの前端部にてケーブルＣ１０，Ｃ１１を押えるようにしてもよい。
【００８８】
次に、本発明の変形例１としての基板ケース４００Ａについて、図６に基づいて説明する。図６は、（Ａ）は変形例１としての基板ケースに演出基板が収納された状態を示す断面図、（Ｂ）は（Ａ）のＤ−Ｄ断面図、（Ｃ）は（Ａ）のＥ−Ｅ断面図、（Ｄ）は（Ａ）のＦ−Ｆ断面である。尚、以下においては、図６（Ａ）における下側を前方、上側を後方、左側を左方、右側を右方として説明する。また、図６においては、図２の基板ケース４００と異なる構成について説明し、該基板ケース４００と同様の構成部位に関しては、同じ符号を付すことで詳細な説明は省略することとする。
【００８９】
図２の基板ケース４００にあっては、基板側コネクタＫＣＮ１とケーブルＣ１との接続状態の解除を阻止する接続解除阻止手段として、配線側コネクタＨＣＮ１の基板側コネクタＫＣＮ１から抜脱する方向（基板側コネクタＫＣＮ１と配線側コネクタＨＣＮ１との接続が解除される方向）への移動を規制する規制部４１１ａ，４１１ｂと演出基板４０とが記載されていたが、本発明はこれに限定されるものではなく、ケーブルＣ１をカバー部材４０２と演出基板４０とで押え込むことで基板側コネクタＫＣＮ１とケーブルＣ１との接続状態の解除を阻止するようにしてもよい。
【００９０】
具体的には、図６に示すように、基板ケース４００Ａのカバー部材４０２のベース板４０２ａの前面には、前後寸法がケーブルＣ１の前後寸法よりも長い断面視長方形状をなす板状の配線押え部４２０が前方に向けて突設されている。配線押え部４２０は、基板側コネクタＫＣＮ１に沿うように前後方向に向けて立設されており、カバー部材４０２に演出基板４０を取付けた状態において、図６（Ｂ）（Ｃ）に示すように、基板側コネクタＫＣＮ１に接続されたケーブルＣ１に対し略直交し、かつ、ケーブルＣ１における配線側コネクタＨＣＮ１の近傍位置を演出基板４０に向けて押えるように配置される。
【００９１】
よって、本変形例１では、基板側コネクタＫＣＮ１に接続されたケーブルＣ１における配線側コネクタＨＣＮ１の近傍位置が、配線押え部４２０により演出基板４０側に押されて該配線押え部４２０と演出基板４０との間に挟持されることで、配線側コネクタＨＣＮ１の基板側コネクタＫＣＮ１から抜脱する方向（基板側コネクタＫＣＮ１と配線側コネクタＨＣＮ１との接続が解除される方向）への移動が規制され、配線側コネクタＨＣＮ１の基板側コネクタＫＣＮ１から抜脱が規制されるため、電子部品と演出基板４０との接続状態が解除されることを抑制することができる。すなわち、カバー部材４０２の配線押え部４２０と演出基板４０とは、演出基板４０の背面を被覆した状態において基板側コネクタＫＣＮとケーブルＣ１との接続状態の解除を阻止する接続解除阻止手段を構成する。
【００９２】
また、ケーブルＣ１が配線押え部４２０により演出基板４０側に押えつけられることで、基板ケース４００の外部でケーブルＣ１が動いても、ケーブルＣ１において基板側コネクタＫＣＮ１から配線押え部４２０により演出基板４０側に押えつけられている部分へ動きが伝達されることが阻止されるため、基板側コネクタＫＣＮ１の付近でケーブルＣ１が動いて抜脱されやすくなることが抑制される。尚、配線押え部４２０は、被覆体であるカバー部材４０２のベース板４０２ａを補強する補強リブや、演出基板４０の撓みを防止する基板押えを兼ねている。
【００９３】
次に、本発明の変形例２及び変形例３について、図７及び図８に基づいて説明する。図７は、本発明の変形例２としての基板ケースに演出基板が収納された状態を示す要部断面図である。図８は、本発明の変形例３としての基板ケースに演出基板が収納された状態を示す要部断面図である。尚、以下においては、尚、以下においては、図７及び図８における下側を前方、上側を後方、左側を左方、右側を右方として説明する。また、図７及び図８においては、図２の基板ケース４００と異なる構成について説明し、該基板ケース４００と同様の構成部位に関しては、同じ符号を付すことで詳細な説明は省略することとする。
【００９４】
図２の基板ケース４００にあっては、基板側コネクタＫＣＮ１とケーブルＣ１との接続状態の解除を阻止する接続解除阻止手段として、配線側コネクタＨＣＮ１の基板側コネクタＫＣＮ１から抜脱する方向（基板側コネクタＫＣＮ１と配線側コネクタＨＣＮ１との接続が解除される方向）への移動を規制する規制部４１１ａ，４１１ｂと演出基板４０とが記載されていたが、本発明はこれに限定されるものではなく、例えば、図７に示す基板ケース４００Ｂのように、基板側コネクタＫＣＮ１とは別個に設けられた基板側コネクタＫＣＮ２に接続されたケーブルＣ２を、カバー部材４０２と演出基板４０に設けられた基板側コネクタＫＣＮ１とで押えることで、基板側コネクタＫＣＮ２とケーブルＣ２との接続状態の解除を阻止するようにしてもよい。
【００９５】
すなわち、本発明の接続解除阻止手段は、カバー部材４０２に突設した規制部４１１ａ，４１１ｂや変形例１のような配線押え部４２０と演出基板４０とでケーブルＣ１を押えることにより、基板側コネクタＫＣＮ１とケーブルＣ１との接続状態の解除を阻止するものだけに限定されるものではなく、図７に示すように、カバー部材４０２のベース板４０２ａと演出基板４０に設けられた規制部である基板側コネクタＫＣＮ１との間でケーブルＣ２を押えることにより、基板側コネクタＫＣＮ１とケーブルＣ２との接続状態の解除を阻止するものであってもよい。
【００９６】
また、図８に示す基板ケース４００Ｃのように、基板側コネクタＫＣＮ１に接続されたケーブルＣ１を、カバー部材４０２のベース板４０２ａと演出基板４０に設けられ該演出基板４０をベース部材４０１に取付けるためのネジＮ３とで押えることで、基板側コネクタＫＣＮ１とケーブルＣ１の接続状態の解除を阻止するようにしてもよい。
【００９７】
すなわち、本発明の接続解除阻止手段は、カバー部材４０２に突設した規制部４１１ａ，４１１ｂや変形例１のような配線押え部４２０と演出基板４０とでケーブルＣ１を押えることにより、基板側コネクタＫＣＮ１とケーブルＣ１との接続状態の解除を阻止するものだけに限定されるものではなく、図８に示すように、カバー部材４０２のベース板４０２ａと演出基板４０に設けられた規制部であるネジＮ３との間でケーブルＣ１を押えることにより、基板側コネクタＫＣＮ１とケーブルＣ１との接続状態の解除を阻止するものであってもよい。
【００９８】
また、配線押え部３３１，４２０は、演出基板４０に対しケーブルＣ１，Ｃ１０，Ｃ１１を押えることで、基板側コネクタＫＣＮ１、ＫＣＮ１０，ＫＣＮ１１とケーブルＣ１，Ｃ１０，Ｃ１１との接続が解除される方向へケーブルＣ１，Ｃ１０，Ｃ１１が移動することを規制するものであるが、必ずしもケーブルＣ１，Ｃ１０，Ｃ１１を強く押えるものに限定されるものではなく、少なくとも配線押え部３３１，４２０とケーブルＣ１，Ｃ１０，Ｃ１１との接触により摩擦抵抗が生じて移動し難くなるようになっていればよい。
【００９９】
尚、これら変形例２，３では、演出基板４０に設けられる規制部として基板側コネクタＫＣＮ１やネジＮ３を用いる形態を例示したが、本発明はこれに限定されるものではなく、演出基板４０に設けられるものであれば、上記基板側コネクタやネジ等に限定されるものではなく、その他の演出基板４０に直接設けられる電子部品（例えば、ＣＰＵ、ＲＯＭ、ＲＯＭソケット、放熱フィンや放熱ファン、コンデンサ等）や、演出基板４０に設けられる基板側コネクタＫＣＮ１１等を介して間接的に設けられるケーブルＣ１１（図５（Ｂ）参照）や、ソケットに着脱可能に設けられるＲＯＭなどであってもよい。
【０１００】
以上説明したように、本発明のパチンコ遊技機１にあっては、演出基板４０，３１５やカバー部材４０２，３１３とは別個の部材に接続解除阻止手段を設けたり、被覆とは別に接続状態の解除を阻止するための処理を行ったりすることなく、演出基板４０，３１５をカバー部材４０２，３１３により被覆するだけで接続解除阻止手段によりケーブルＣ１，Ｃ１０，Ｃ１１と基板側コネクタＫＣＮ１，ＫＣＮ１０，ＫＣＮ１１との接続状態の解除が阻止されるため、製造コストや手間をかけることなくケーブルＣ１，Ｃ１０，Ｃ１１の接続状態が解除されることを抑制することができる。
【０１０１】
また、図２に示す接続解除阻止手段は、基板側コネクタＫＣＮ１に接続されたケーブルＣ１の配線側コネクタＨＣＮ１に当接して、該配線側コネクタＨＣＮ１が基板側コネクタＫＣＮ１との接続状態が解除される方向へ移動することを規制する規制部４１１ａ，４１１ｂであることで、接続状態が解除される方向へ何らかの外力が作用しても配線に無理な負荷がかかることがないため、断線等を抑制できる。
【０１０２】
また、接続解除阻止手段は、被覆体と回路基板とのうち一方（例えば、カバー部材４０２／カバー部材３１３）に設けられ、ケーブルＣ１／Ｃ１０，Ｃ１１が他方（例えば、演出基板４０／演出基板３１５）に近接または当接するように押える押え部（例えば、配線押え部４２０／配線押え部３３１）であることで、接続状態が解除される方向へケーブルＣ１／Ｃ１０，Ｃ１１が移動することを好適に抑制できる。
【０１０３】
また、回路基板を被覆するための被覆体は、第１部材であるベース部材４０１と第２部材であるカバー部材４０２とを有し、ベース部材４０１とカバー部材４０２とを組付けることにより演出基板４０を収納可能な基板ケース（例えば、基板ケース４００／基板ケース４００Ａ／基板ケース４００Ｂ／基板ケース４００Ｃ）であることで、演出基板４０を好適に保護することができる。
【０１０４】
また、被覆体（例えば、カバー部材４０２／カバー部材３１３）は、配線（例えば、ケーブルＣ１／ケーブルＣ１０，Ｃ１１）に外部から触れることができないように前記回路基板（例えば、演出基板４０／演出基板３１５）を被覆することで、カバー部材４０２／カバー部材３１３の外部の何らかの部材がケーブルＣ１／ケーブルＣ１０，Ｃ１１に接触して接続状態が解除されてしまうことを抑制できる。
【０１０５】
尚、本実施例では、カバー部材４０２／カバー部材３１３はケーブルＣ１／ケーブルＣ１０，Ｃ１１に外部から触れることができないように演出基板４０／演出基板３１５を被覆していたが、本発明はこれに限定されるものではなく、回路基板を被覆するための被覆体であれば、必ずしも配線に外部から触れることができないように構成されたものでなくても、例えば、開口や孔部等が形成されていてもよい。
【０１０６】
次に、演出ユニット５００について、図９〜図１２に基づいて説明する。図９は、（Ａ）は演出ユニットの概略を示す正面図、（Ｂ）は演出ユニットの概略を示す側面図である。図１０は、可動体が上下動する際のケーブルの状態を示す図である。図１１は、ケーブルを案内するプラスチック板の外観および取付け状態を示す図である。図１２は、ケーブルの余り部分の処理方法を示す図である。
【０１０７】
また、前記実施例及び変形例１〜３にあっては、回路基板の一例として演出基板４０，３１５を適用した形態を例示したが、本発明はこれに限定されるものではなく、演出制御基板に接続される他の演出基板（例えば、演出基板３０４やＬＥＤ基板、中継基板等）であってもよいし、主基板に接続される各種基板を適用してもよい。また、回路基板を被覆するための被覆体としてカバー部材４０２，３１３を適用した形態を例示したが、本発明はこれに限定されるものではなく、例えば、ＬＥＤが内蔵された可動体においてＬＥＤからの光を拡散するレンズ部材等が回路基板を被覆する被覆体を兼ねているものでもよい。
【０１０８】
図９及び図１０に示すように、演出ユニット５００は、遊技盤２と演出表示装置５の間において、遊技者から視認不能なように配置された基台６００を備えている。可動体５０１Ａを回転させるための第２演出用モータ５１１は、基台６００の左側の部分および右側の部分に向けて延設された連結アーム５０２に取付けられており、第２演出用モータ５１１が回転することにより、可動体５０１Ａが図９（Ａ）中２点鎖線で示すように演出表示装置５の表示面と平行に回転する。可動体５０１Ｂは、連結アーム５０２に取付けられ、可動体５０１Ａと連結アーム５０２との間に配置される。
【０１０９】
連結アーム５０２の端部５０３Ｌ，５０３Ｒは、基台６００の左右側前面に上下方向に沿って設けられた案内レール５０５Ｌ，５０５Ｒにより上下方向に移動可能に支持されている。つまり、可動体５０１Ａ，５０１Ｂは、案内レール５０５Ｌ，５０５Ｒに沿って上下方向に移動可能に案内される。更に、連結アーム５０２の左方の端部５０３Ｌには、該端部５０３Ｌよりも更に左方に向けて延設された延設部５０４が設けられている。
【０１１０】
連結アーム５０２の右方の端部５０３Ｒには、ワイヤ５０８の一端が接続されている。ワイヤ５０８は、基台６００の右側の部分の上端部を回りこんで基台６００の右側の部分の後方（背面側）まで引き出され、他端が基台６００の右側の部分の後方に設けられた巻取プーリー５０７に固着されている。尚、基台６００の右側の部分の上端部には、ワイヤ５０８をガイドするガイドローラ５０９ａ，５０９ｂが取付けられている。
【０１１１】
基台６００の右側の部分の後方には、第１演出用モータ５１０と電磁クラッチ５２０が配置されており、巻取プーリー５０７と第１演出用モータ５１０とは電磁クラッチ５２０を介して連結可能となっている。尚、電磁クラッチ５２０を介して巻取プーリー５０７と第１演出用モータ５１０とが連結されている連結状態では、第１演出用モータ５１０を駆動させることにより該電磁クラッチ５２０を介して巻取プーリー５０７を回転させ、該巻取プーリー５０７によるワイヤ５０８の巻取りが可能となっている。また、第１演出用モータ５１０は、巻取プーリー５０７によるワイヤ５０８の巻取りにより可動体５０１Ａ，５０１Ｂを第１位置（上方位置）まで移動させた状態において、巻取プーリー５０７との連結を電磁クラッチ５２０により維持することで、該第１演出用モータ５１０に生じる回転抵抗により可動体５０１Ａの右側を第１位置に支持するようになっている。
【０１１２】
基台６００の左側の部分の前面には、支持片５１３ａを備えるストッパー５１３が設けられており、ストッパー５１３は、可動体５０１Ａ，５０１Ｂが第１位置に配置された状態で支持片５１３ａを案内レール５０５Ｌに向けて突出させることで延設部５０４の下方に支持片５１３ａを配置させることが可能となっている。このため、可動体５０１Ａ，５０１Ｂの左側がストッパー５１３の支持片５１３ａに下方から支持されるとともに、可動体５０１Ａ，５０１Ｂの右側が前述した第１演出用モータ５１０の回転抵抗により上方から吊持されることで、可動体５０１Ａ，５０１Ｂは第１位置に配置されている状態を維持できるようになっている。
【０１１３】
可動体５０１Ａには、可動体５０１Ａに演出動作を行わせるための信号や電力を演出制御基板から送るためのケーブル７０１（例えば、フレキシブルフラットケーブル）が接続される。つまり、ケーブル７０１は、可動体５０１Ａに演出の動作を行わせるための信号線および電力線である。本実施例においては、ケーブル７０１は、可動体５０１Ａの第２演出用モータ５１１を駆動させるための信号や電力を送る。ケーブル７０１の一方端は、連結アーム５０２に達した部分でほぼ直角方向に折り曲げられ、可動体５０１Ａに接続される。他方端は、演出基板１２に接続される。
【０１１４】
ケーブル７０１は、押え部材６１１，６１２の右側から幅方向に挿入され、押え部材６１１，６１２と基台６００との間に挟み込まれ、厚み方向に多少の遊びを有して拘束される。リブ６１３は、ケーブル７０１が押え部材６１１，６１２に挟み込まれた状態で右側にずれにくくする。固定部材６１４は、基台６００にねじで締め込まれることで、ケーブル７０１を固定する。尚、図示していないが、ケーブル７０１は、連結アーム５０２にも数か所で固定される。ケーブル７０１は、図１０で示すように可動体５０１Ａが第２位置（下方位置）に落下した場合であっても長さに多少の余裕ができるように、基台６００や連結アーム５０２に固定される。
【０１１５】
可動体５０１Ｂが取付けられることによって、連結アーム５０２およびケーブル７０１が、遊技者から視認不能とされる。また、ケーブル７０２は、ケーブル７０１からの信号および電力の少なくとも一部を第２演出用モータ５１１に送る。可動体５０１Ａ，５０１Ｂ、連結アーム５０２および第２演出用モータ５１１などの演出ユニット５００の移動可能な部分が、基台６００などの移動可能でない部分に対して下方向に移動することによって、ケーブル７０１が、撓みの大きい状態から小さい状態に変化する。
【０１１６】
図１０において２点鎖線で示す状態は、可動体５０１Ａが第１位置にある場合のケーブル７０１の撓み方が悪い状態を示す図である。図１０を参照して、可動体５０１Ａが第２位置から第１位置に戻されるときに、ケーブル７０１に悪い癖が付いていると、例えば、図のＡ部で示すように、可動体５０１Ｂと押え部材６１２との間のような、演出ユニット５００の移動可能な部分と移動可能でない部分との間に、ケーブル７０１が挟まれてしまうことが考えられる。
【０１１７】
このようになった場合、そのように挟まれ易い方向に撓む癖がケーブル７０１に付いてしまうことが考えられる。そうすると、可動体５０１Ａが上下動するたびに、何度も、ケーブル７０１が可動体５０１Ｂや押え部材６１２に挟まれ接触してしまう。これにより、ケーブル７０１の接触する部分が損傷を受ける可能性がある。そうなると、可動体５０１Ａを演出動作させるための第２演出用モータ５１１に信号や電力が送れなくなるため、演出動作を行うことができなくなる。
【０１１８】
図１１は、ケーブル７０１を案内するプラスチック板７１０の外観および取付け状態を示す図である。図１１を参照して、上述のように、ケーブル７０１がパチンコ遊技機１の所定部分（ここでは、可動体５０１Ｂ，押え部材６１２）に接触してしまうことを防止するために、パチンコ遊技機１の製造時、または、ケーブル７０１に上述したような悪い癖が付いているのを確認したときに、図１１（Ａ）で示すようなプラスチック板７１０を、図１１（Ｂ）で示すようにケーブル７０１の押え部材６１１，６１２を流用して取付けておくようにする。
【０１１９】
プラスチック板７１０は、平板形状（ここでは厚さ０．３ｍｍ程度。他の厚さであってもよい。）であり、取付けられたときにケーブル７０１に沿って延びる中央部分と、中央部分の一端側であって取付けられたときに前述の所定部分から離れる方向（中央部分に対して２０〜３０度程度、曲がった方向）に延びる延在部分と、中央部分の他端側であって延在部分と反対方向に延びる係止部分とを含む。係止部分は、プラスチック板７１０が取付けられたときに、延在部分の方向にプラスチック板７１０が移動しないように押え部材６１１に引っ掛かる（約９０度）屈曲した部分を含む。
【０１２０】
プラスチック板７１０は、押え部材６１１，６１２によって、ケーブル７０１とともに押えられるような状態で取付けられる。押え部材６１１，６１２は、押えているケーブル７０１に対して所定部分の側にプラスチック板７１０を保持する。これにより、所定部分から離れる方向に延びる延在部分によって、ケーブル７０１が案内されて、所定部分に接触しないようにすることができる。これにより、可動体５０１Ａに接続されるケーブル７０１が意図しない方向に撓むことによる不具合を抑制することができる。
【０１２１】
また、係止部分が屈曲した部分を含むことによって、プラスチック板７１０が押え部材６１１，６１２に対して移動しないようにすることができるため、ケーブル７０１が押え部材６１１，６１２に対して移動し難くすることができる。
【０１２２】
図１２は、ケーブル７０１の余り部分の処理方法を示す図である。図１２を参照して、ケーブル７０１は、各部への引き回しの便宜のため多少、余裕を持った長さとされている。このため、ケーブル７０１を、各部に引き回して、演出基板１２のコネクタ７１１に接続した後に、図１２（Ａ）で示すように、ケーブル７０１に余り部分が発生する。
【０１２３】
このケーブル７０１の余り部分を、コネクタ７１１および押え部材６１５と反対方向に延ばして、コネクタ７１１および押え部材６１５から最も離れた部分で、ケーブル７０１に第１の折り目を付ける。そして、図１２（Ｂ）で示すように、その第１の折り目の部分を反対側に折り返し、押え部材６１５から数ｍｍ、第１の折り目の部分が出るように、折り目の部分を押え部材６１５に通す。
【０１２４】
そして、コネクタ７１１および押え部材６１５から最も離れた部分で、ケーブル７０１に第２の折り目を付ける。この第２の折り目を、演出基板１２の上に引き回されている他の電気ケーブル（被覆線を複数本並べて融着したフラットケーブル７０３）で、演出基板１２に押え付けるようにする。
【０１２５】
演出基板１２のような基板上で、このようにフラットケーブル７０３が引き回される部分は、ケーブル７０１を固定する部材を設けにくい。しかし、ケーブル７０１を固定しておかないと、意図しない部分に接触することでケーブル７０１を損傷させたりするような不具合が発生する可能性がある。
【０１２６】
上述したように、ケーブル７０１を押えることによって、ケーブル７０１に不具合が発生し難くするために、コストを抑えてケーブル７０１を動かないようにすることができる。これにより、不具合の発生を抑制するためのコストを抑えることができる。
【０１２７】
このフラットケーブル７０３で押える部分は、フラットケーブル７０３の演出基板１２の上のコネクタの付近であることが好ましい。コネクタ付近であればフラットケーブル７０３は動きにくい。このような動きにくいフラットケーブル７０３によってケーブル７０１が押えられる。これにより、ケーブル７０１を安定して押えることができる。
【０１２８】
また、ケーブル７０１を押えるフラットケーブル７０３は、幅が広いことが好ましい。このように幅が広いフラットケーブル７０３でケーブル７０１が押えられることによって、ケーブル７０１を安定して押えることができる。
【０１２９】
尚、幅の広いフラットケーブルは、線の数が多いことで広くてもよいし、線の数は同等または少ないが、各線の導体部分の直径が太いことや各線の保護被覆や絶縁体が厚いことで広くてもよい。また、フラットケーブルは、上述したようにケーブル７０１を安定して押えることができれば、幅が広くなくてもよい。例えば、フラットケーブルは、各線が太かったり、導体、絶縁体または保護被覆に曲がりにくい材質の材料を用いたりすることで、曲がりにくくてもよい。フラットケーブルは、導体、絶縁体または保護被覆に硬い材質の材料を用いることで、硬くてもよい。
【０１３０】
以上、本発明の実施例を図面により説明してきたが、具体的な構成はこれら実施例に限られるものではなく、本発明の要旨を逸脱しない範囲における変更や追加があっても本発明に含まれる。
【０１３１】
例えば、前記実施例では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【０１３２】
また、前記実施例では、遊技媒体の一例として、球状の遊技球（パチンコ球）が適用されていたが、球状の遊技媒体に限定されるものではなく、例えば、メダル等の非球状の遊技媒体であってもよい。
【０１３３】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な変動表示装置に変動表示結果が導出されることにより１ゲームが終了し、該変動表示装置に導出された変動表示結果に応じて入賞が発生可能とされたスロットマシンにも適用可能である。
【符号の説明】
【０１３４】
１          パチンコ遊技機
４０，３１５    演出基板
３３１，４２０    配線押え部
４００，４００Ｂ，４００Ｃ    基板ケース
４１１ａ，４１１ｂ    規制部
５０１Ａ，５０１Ｂ    可動体
Ｃ１，２，１０，１１    ケーブル
ＫＣＮ１，２，１０，１１  基板側コネクタ
ＨＣＮ１    配線側コネクタ
Ｎ３        ネジ
【図１】
0006630482.tif 000002
【図２】
0006630482.tif 000003
【図３】
0006630482.tif 000004
【図４】
0006630482.tif 000005
【図５】
0006630482.tif 000006
【図６】
0006630482.tif 000007
【図７】
0006630482.tif 000008
【図８】
0006630482.tif 000009
【図９】
0006630482.tif 000010
【図１０】
0006630482.tif 000011
【図１１】
0006630482.tif 000012
【図１２】
0006630482.tif 000013